(57)【要約】【課題】限定された最少の部品の組み替えにより、ダブルロック機能とマスターロック機能を選択的に持たせる。【解決手段】本体ケース２に第１のシリンダ錠１３を設け、ハンドルレバー５に第２のシリンダ錠１８を設け、必要に応じて本体ケース２の内底壁部にハンドル受座１１または電気錠ユニット２６を設ける。第１のシリンダ錠１３のロータ１４には、屈曲先端部１７がハンドルレバー５の自由端１２に向けて進退するクランクロックプレート１５を連動装備する。第２のシリンダ錠１８のロータ１９には、ハンドルレバー５のガイド溝２３より出没するロングロックプレート２０を連動装備する。扉１の閉鎖施錠状態において第２のシリンダ錠１８が施錠状態にあり、ロングロックプレート２０のプレート先端部２２がハンドル受座１１の係止爪部２５または電気錠ユニット２６のプランジャー先端の錠止爪部２７に係合する。【選択図】図６
2008014037.tif 000002
【特許請求の範囲】
【請求項１】
扉１に固定される本体ケース２と、
前記本体ケース２に収納され、基端部６の枢軸７を中心として、本体ケース２に収納された位置と本体ケース２より突出した位置との間を回動するハンドルレバー５と、
前記ハンドルレバー５の回転操作に連動して扉１を固定枠体９に対して施錠する錠止部材１０と、
必要に応じて前記本体ケース２の内底壁部に選択的に設けられるハンドル受座１１及び電気錠ユニット２６と、
前記ハンドルレバー５の自由端１２寄りにある前記本体ケース２の部分に設けられ、ロータ１４に連動装備したクランクロックプレート１５の屈曲先端部１７が、第１の鍵１６の回転操作によって前記ハンドルレバー５の自由端１２に向けて前進した位置と当該自由端１２から後退した位置との間を移動するようにした第１のシリンダ錠１３と、
前記ハンドルレバー５の自由端１２の近傍部分に設けられ、ロータ１９に連動装備したロングロックプレート２０が、第２の鍵２１の回転操作によって前記ハンドルレバー５のガイド溝２３の一端開口から突出した位置と他端開口から突出した位置との間を移動するようにした第２のシリンダ錠１８とからなり、
ハンドル受座１１または電気錠ユニット２６が設けられている場合、第２のシリンダ錠１８の施錠状態において、前記ロングロックプレート２０のプレート先端部２２が前記ハンドル受座１１の係止爪部２５または前記電気錠ユニット２６のプランジャ先端の錠止爪部２７に係合することによって、前記ハンドルレバー５が前記本体ケース２内に収納された位置に拘束されており、
第１のシリンダ錠１３が施錠状態にあるとき、前記クランクロックプレート１５の屈曲先端部１７が前記ハンドルレバーの前記自由端１２に接近した位置にあり、
第２のシリンダ錠１８が解錠状態になったとき、前記ロングロックプレート２０のプレート基端部２４が前記クランクロックプレート１５の前記屈曲先端部１７の背面側に係合して、前記ハンドルレバー５が前記本体ケース２に拘束されているようにした扉用ロックハンドル装置。
【発明の詳細な説明】
【技術分野】
【０００１】
本発明は、配電盤や制御盤等の機器格納用キャビネット等に使用される扉用ロックハンドル装置に関するものである。
【背景技術】
【０００２】
機器格納用キャビネットに一般に使用されている扉用ロックハンドル装置は、扉に固定され、ハンドルレバー収納部とシリンダ錠収納部を前面側に隣接して形成した本体ケースと、該ハンドル収納部に収納され、基端部の枢軸を中心に起伏回転するハンドルレバーと、該ハンドルレバーの回転操作に連動して扉をキャビネット本体に対して開放不能に錠止する錠止部材と、前記シリンダ錠収納部に収納され、ロータに連動装備されたロックプレートがハンドルレバーの自由端部の係止凹部に係合してハンドルレバーを倒伏位置に拘束するシリンダー錠とからなる（特許文献１参照）。
【０００３】
この種の扉用ロックハンドル装置を使用しているユーザーからは、キャビネット管理の容易化を目的として、マスターロック機能の錠システムの提供（マスターキーとして同一番号に設定された鍵を管理者が管理しており、管理者または管理者から委託を受けた者が当該鍵によって多数の全てのキャビネットを開放できること）が要望されている。
また、セキュリティの強化を目的として、ダブルロック機能の錠システムの提供（異なる２個の鍵を同時に操作しないと対象物を解錠できないこと）が要望されている。
【０００４】
しかしながら、従来の扉用ロックハンドル装置では、シリンダ錠は１個しか搭載されておらず、そのシリンダ錠の鍵違い数に制限があるため、上記要望に応えることが困難であった。
【０００５】
本体ケース側に１個、ハンドルレバー側に１個の合計２個のシリンダ錠を使用している扉用ハンドル装置も提案されているが（特許文献２参照）、これは上記したダブルロック機能やマスターロック機能の提供を目的とするものではない。
【０００６】
【特許文献１】特許第３４９９５４０号公報
【特許文献２】特許第３６１６３５２号公報
【発明の開示】
【発明が解決しようとする課題】
【０００７】
本発明の課題は、限定された最少の部品を組み替えることにより、ダブルロック機能とマスターロック機能を選択的に持たせることができる扉用ロックハンドル装置を提供する。
【課題を解決するための手段】
【０００８】
本発明の扉用ロックハンドル装置は、扉１の前面に固定される本体ケース２と、
前記本体ケース２の一端部に扉１の前面と直角に設けられ、扉１を固定枠体９に錠止する錠止部材１０を後端部８に固着してあるロック軸３と、
前記ロック軸３の前端部４に基端部６をロック軸３に直角な枢軸７で枢着され、前記本体ケース２に収納された位置と本体ケース２より突出した位置との間を回動するハンドルレバー５と、
必要に応じて前記本体ケース２の内底壁部に選択的に設けられるハンドル受座１１及び電気錠ユニット２６と、
前記ハンドルレバー５の自由端１２寄りにある前記本体ケース２の部分に設けられ、ロータ１４に連動装備したクランクロックプレート１５の屈曲先端部１７が、第１の鍵１６の回転操作によって前記ハンドルレバー５の自由端１２に向けて前進した位置と当該自由端１２から後退した位置との間を移動するようにした第１のシリンダ錠１３と、
前記ハンドルレバー５の自由端１２の近傍部分に設けられ、ロータ１９に連動装備したロングロックプレート２０が、第２の鍵２１の回転操作によって前記ハンドルレバー５のガイド溝２３の一端開口から突出した位置と他端開口から突出した位置との間を移動するようにした第２のシリンダ錠１８とからなり、
ハンドル受座１１または電気錠ユニット２６が設けられている場合、第２のシリンダ錠１８の施錠状態において、前記ロングロックプレート２０のプレート先端部２２が前記ハンドル受座１１の係止爪部２５または前記電気錠ユニット２６のプランジャー先端の錠止爪部２７に係合することによって、前記ハンドルレバー５が前記本体ケース２内に収納された位置に拘束されており、
第１のシリンダ錠１３が施錠状態にあるとき、前記クランクロックプレート１５の屈曲先端部１７が前記ハンドルレバーの前記自由端１２に接近した位置にあり、
第２のシリンダ錠１８が解錠状態になったとき、前記ロングロックプレート２０のプレート基端部２４が前記クランクロックプレート１５の屈曲先端部１７の背面側に係合して、前記ハンドルレバー５が前記本体ケース２に拘束されているようにしたものである。
【発明の効果】
【０００９】
本発明では、前記ハンドルレバー５の自由端１２寄りにある前記本体ケース２の部分に第１のシリンダ錠１３を設け、屈曲先端部１７が前記ハンドルレバー５の自由端１２に向けて前進した位置と当該自由端１２から後退した位置との間を移動するクランクロックプレート１５を第１のシリンダ錠１３のロータ１４に連動装備し、
前記ハンドルレバー５の自由端１２の近傍部分に第２のシリンダ錠１８を設け、前記ハンドルレバー５のガイド溝２３の一端開口から突出した位置と他端開口から突出した位置との間を移動するロングロックプレート２０を第２のシリンダ錠１８のロータ１９に連動装備してあり、
前記本体ケース２の内底壁部にハンドル受座１１または電気錠ユニット２６を設けた場合には、扉１の閉鎖施錠状態においては、第２のシリンダ錠１８が施錠状態にあって、前記ロングロックプレート２０のプレート先端部２２が前記ハンドル受座１１の係止爪部２５または前記電気錠ユニット２６のプランジャー先端の錠止爪部２７に係合しているため、前記ハンドルレバー５は収納位置に拘束保持されており、第２のシリンダ錠１８を解錠状態にしたとき、前記ロングロックプレート２０のプレート基端部２４が前記クランクロックプレート１５の屈曲先端部１７の背面側に係合することによって、前記ハンドルレバー５の拘束状態が堅持されているので、結局、前記ハンドルレバー５の拘束を解除するには、第１のシリンダ錠１３と第２のシリンダ錠１８を共に解錠操作しなければならないのであり、ダブルロック機能が持たせられる。
【００１０】
また、前記本体ケース２の内底壁部にハンドル受座１１と電気錠ユニット２６のどちらも設けていない場合には、第２のシリンダ錠１８の前記ロングロックプレート２０のプレート先端部２２は施錠機能においては無効化されている。そして、扉１の閉鎖施錠状態においては、第２のシリンダ錠１８が施錠状態にあって、前記ロングロックプレート２０のプレート基端部２４が、同じく施錠状態にある第１のシリンダ錠１３のクランクロックプレート１５の屈曲先端部１７の背面側に係合して、前記ハンドルレバー５を収納位置に拘束保持しているのであるから、前記ハンドルレバー５の拘束を解除するためには、第２のシリンダ錠１８を解錠操作して、前記ロングロックプレート２０のプレート基端部２４を前記クランクロックプレート１５の屈曲先端部１７から離脱させるか、あるいは、第１のシリンダ錠１３を解錠操作して、前記クランクロックプレート１５の屈曲先端部１７を前記ロングロックプレート２０のプレート基端部２４から離脱させるかすれば良い。
このように第１のシリンダ錠１３と第２のシリンダ錠１８のどちらか一方を解錠操作すれば、前記ハンドルレバー５の拘束を解除できるものであるから、どちらか一方のシリンダ錠を通常使用する錠とし、他方のシリンダ錠をマスターロック用の錠として選定し、前者の鍵を多数の鍵違い番号に設定し、後者の鍵を同一番号に設定することによって、豊富な鍵違い数のあるマスターロック機能が得られる。
【実施例１】
【００１１】
図６は、シリンダ錠２個によるダブルロック仕様の適用例を示すものであり、本体ケース２の内底壁部に、ハンドルレバー５を収納位置に拘束するためのハンドル受座１１を設けてある。
この実施例では、扉１の前面に本体ケース２が固定され、本体ケース２の上方端部の背面側に軸受筒部３４が扉前面と直角に形成され、軸受筒部３４に回転可能かつ軸方向に移動不能に装着されたロック軸３の前端部４は、ハンドルレバー５の基端部６をロック軸３に直角な枢軸７で枢着してある。ハンドルレバー５は本体ケース２に収納された位置と本体ケース２より突出した位置との間を回動するものであり、ロック軸３の後端部８には、扉１を固定枠体９に錠止する錠止部材１０がビス３５によって固着してある。
【００１２】
ハンドルレバー５の自由端１２寄りにある本体ケース２の部分には、第１のシリンダ錠１３を設けてある。この第１のシリンダ錠１３のロータ１４に連動装備したクランクロックプレート１５は、第１の鍵１６の回転操作によって屈曲先端部１７がハンドルレバー５の自由端１２に向けて前進した位置と当該自由端１２から後退した位置との間を移動する。
ハンドルレバー５の自由端１２の近傍部分には第２のシリンダ錠１８を設けてある。この第２のシリンダ錠１８のロータ１９に連動装備したロングロックプレート２０は、第２の鍵２１の回転操作によってプレート先端部２２がハンドルレバー５のガイド溝２３の一端開口から突出した位置とプレート基端部２４がガイド溝２３の他端開口から突出した位置との間を移動する。
【００１３】
図６に示したように第２のシリンダ錠１８がロータ１９の回転を制止された施錠状態に設定されているとき、ロングロックプレート２０のプレート先端部２２がハンドル受座１１の係止爪部２５の背面側に係合しているため、ハンドルレバー５は本体ケース２内に収納された位置に拘束されている。
第１のシリンダ錠１３がロータ１４の回転を制止された施錠状態に設定されているとき、クランクロックプレート１５の屈曲先端部１７がハンドルレバー５の自由端１２に接近した位置にあり、第１のシリンダ錠１３と第２のシリンダ錠１８は互いに不干渉の状態にある。
【００１４】
ここで、第２の鍵２１の回転操作によって第２のシリンダ錠１８が解錠状態に設定されたとき、ロングロックプレート２０は図６において下方に移動し、プレート先端部２２がガイド溝２３の一端開口に入り込むことによって、プレート先端部２２とハンドル受座１１の係止爪部２５との係合が解除される。
このとき、プレート基端部２４はガイド溝２３の他端開口から下向きに突出し、プレート基端部２４はクランクロックプレート１５の屈曲先端部１７の背面側に係合する。このように第２のシリンダ錠１８が第１のシリンダ錠１３の干渉を受けるため、第２のシリンダ錠１８が解錠されても、ハンドルレバー５は本体ケース２内に収納された位置に依然として拘束されたままである。
【００１５】
そこで、第１の鍵１６の回転操作によって第１のシリンダ錠１３を解錠状態に設定すると、第１のシリンダ錠１３のクランクロックプレート１５は、屈曲先端部１７がロングロックプレート２０のプレート基端部２４と係合しない位置に移動する。これによって第１のシリンダ錠１３による第２のシリンダ錠１８の干渉が解消されるため、ハンドルレバー５は本体ケース２に対する拘束を解かれ、ハンドルレバー５は本体ケース２から突出可能となる。
ハンドルレバー５を本体ケース２から引出した後、ハンドルレバー５を握ってロック軸３を所定方向に回すことによって、前記錠止部材１０が回動し、固定枠体９に対する扉１の錠止が解除される。
【００１６】
すなわち、本適用例では、第１のシリンダ錠１３と第２のシリンダ錠１８が共に解錠されたときに、ハンドルレバー５が操作可能となるものであり、ダブルロック機能が得られている。
ハンドル受座１１は、本体ケース２の背面壁部の透孔３６からハンドル受座１１の本体部の螺子孔３８に螺合される２本のビス３７によって、本体ケース２に堅固に固着されている。
【実施例２】
【００１７】
図７は、シリンダ錠２個によるマスターロック仕様の適用例を示すものであり、ハンドルレバー５を収納位置に拘束するためのハンドル受座１１や電気錠ユニット２６を本体ケース２の内底壁部に設けていないものである。
この実施例では、扉１の前面に本体ケース２が固定され、本体ケース２の上方端部の背面側に軸受筒部３４が扉前面と直角に形成され、軸受筒部３４に回転可能かつ軸方向に移動不能に装着されたロック軸３の前端部４は、ハンドルレバー５の基端部６をロック軸３に直角な枢軸７で枢着してある。ハンドルレバー５は本体ケース２に収納された位置と本体ケース２より突出した位置との間を回動するものであり、ロック軸３の後端部８には、扉１を固定枠体９に錠止する錠止部材１０がビス３５によって固着してある。
【００１８】
ハンドルレバー５の自由端１２寄りにある本体ケース２の部分には、第１のシリンダ錠１３を設けてある。第１のシリンダ錠１３のロータ１４に連動装備したクランクロックプレート１５は、第１の鍵１６の回転操作によって屈曲先端部１７がハンドルレバー５の自由端１２に向けて前進した位置と当該自由端１２から後退した位置との間を移動する。
ハンドルレバー５の自由端１２の近傍部分には、第２のシリンダ錠１８を設けてある。第２のシリンダ錠１８のロータ１９に連動装備したロングロックプレート２０は、第２の鍵２１の回転操作によってプレート先端部２２がハンドルレバー５のガイド溝２３の一端開口から突出した位置とプレート基端部２４がガイド溝２３の他端開口から突出した位置との間を移動する。
【００１９】
第１のシリンダ錠１３がロータ１４の回転を制止された施錠状態に設定されているとき、クランクロックプレート１５の屈曲先端部１７はハンドルレバーの自由端１２に接近した位置にある。
第２のシリンダ錠１８がロータ１９の回転を制止された施錠状態に設定されているとき、ガイド溝２３の他端開口から下向きに突出したロングロックプレート２０のプレート基端部２４が、クランクロックプレート１５の屈曲先端部１７の背面側に係合している。このように第２のシリンダ錠１８が第１のシリンダ錠１３より干渉を受けているため、ハンドルレバー５は本体ケース２内に収納された位置に拘束されている。
【００２０】
ここで、第２のシリンダ錠１８を施錠状態に設定したまま、第１の鍵１６の回転操作によって第１のシリンダ錠１３を解錠状態に設定したとき、ロングロックプレート２０のプレート基端部２４とクランクロックプレート１５の屈曲先端部１７との係合が解除され、第１のシリンダ錠１３による第２のシリンダ錠１８の干渉が解消される。そのため、本体ケース２に対するハンドルレバー５の拘束が解かれ、ハンドルレバー５は本体ケース２から突出可能となる。
【００２１】
他方、第１のシリンダ錠１３を施錠状態に設定したまま、第２の鍵２１の回転操作によって第２のシリンダ錠１８を解錠状態に設定したとき、クランクロックプレート１５の屈曲先端部１７がロングロックプレート２０のプレート基端部２４と係合しない位置に移動し、第１のシリンダ錠１３による第２のシリンダ錠１８の干渉が解消される。そのため、本体ケース２に対するハンドルレバー５の拘束が解かれ、ハンドルレバー５は本体ケース２から突出可能となる。
ハンドルレバー５を本体ケース２から引出した後、ハンドルレバー５を握ってロック軸３を所定方向に回すことによって、前記錠止部材１０が回動し、固定枠体９に対する扉１の錠止が解除される。
【００２２】
すなわち、本適用例では、第１のシリンダ錠１３と第２のシリンダ錠１８のどちらか一方が解錠されたときに、ハンドルレバー５が操作可能となるものである。
ここで、例えば通常使用する用途の錠として第２のシリンダ１８と選定し、第２の鍵２１を鍵違いとして設定する一方、第１のシリンダ錠１３をマスター用途の錠として選定し、第１の鍵１６を同一番号で設定することによって、豊富な鍵違い数のあるマスターキー機能が得られる。
【００２３】
通常の使用時にどちらのシリンダ錠を操作すれば良いのか作業者が混乱するのを防止するためには、「通常使用」と特定した何らかの識別標識を当該シリンダ錠の近傍のハンドルレバー５または本体ケース２あるいはシリンダ錠１３，１８それ自体の表面に表示することもできるが、図示の実施例では、シリンダ錠カバー２８を使用している。
本実施例では、第１のシリンダ錠１３をマスターキー用途の錠として選定したので、シリンダ錠カバー２８は本体ケース２の下端部に嵌合装着されており、本体ケース２の背面側に設けた２本の引張りコイルバネ２９によって常時は第１のシリンダ錠１３の前面部を隠蔽するように上向きに牽引されている。
管理者または管理者から委託された者がマスターキーとしての第１の鍵１６を使用するときには、指でシリンダ錠カバー２８を引き降ろし、第１のシリンダ錠１３を露出させることになる。
【実施例３】
【００２４】
図８は、シリンダ錠２個に電気錠ユニットを組み合わせたダブルロック仕様の適用例を示すものであり、本体ケース２の内底壁部にハンドルレバー５を収納位置に拘束するための電気錠ユニット２６を設けたものである。
この実施例では、扉１の前面に本体ケース２が固定され、本体ケース２の上方端部の背面側に軸受筒部３４が扉前面と直角に形成され、軸受筒部３４に回転可能かつ軸方向に移動不能に装着されたロック軸３の前端部４は、ハンドルレバー５の基端部６をロック軸３に直角な枢軸７で枢着してある。ハンドルレバー５は本体ケース２に収納された位置と本体ケース２より突出した位置との間を回動するものであり、ロック軸３の後端部８には、扉１を固定枠体９に錠止する錠止部材１０がビス３５によって固着してある。
【００２５】
ハンドルレバー５の自由端１２寄りにある前記本体ケース２の部分には、第１のシリンダ錠１３を設けてある。第１のシリンダ錠１３のロータ１４に連動装備したクランクロックプレート１５は、第１の鍵１６の回転操作によって屈曲先端部１７がハンドルレバー５の自由端１２に向けて前進した位置と当該自由端１２から後退した位置との間を移動する。
ハンドルレバー５の自由端１２の近傍部分には、第２のシリンダ錠１８を設けてある。第２のシリンダ錠１８のロータ１９に連動装備したロングロックプレート２０は、第２の鍵２１の回転操作によってプレート先端部２２がハンドルレバー５のガイド溝２３の一端開口から突出した位置とプレート基端部２４がガイド溝２３の他端開口から突出した位置との間を移動する。
【００２６】
第２のシリンダ錠１８がロータ１９の回転を制止された施錠状態に設定されているとき、ロングロックプレート２０のプレート先端部２２は電気錠ユニット２６のプランジャー先端の錠止爪部２７の背面側に係合しており、これによってハンドルレバー５は本体ケース２内に収納された位置に拘束されている。
第１のシリンダ錠１３がロータ１４の回転を制止された施錠状態に設定されているとき、クランクロックプレート１５の屈曲先端部１７はハンドルレバーの自由端１２に接近した位置にある。
【００２７】
第２のシリンダ錠１８が施錠状態に設定されているときには、ロングロックプレート２０のプレート基端部２４がガイド溝２４の他端開口内に入り込んでおり、クランクロックプレート１５の屈曲先端部１７と係合しない位置にある。
このように、第２のシリンダ錠１８は第１のシリンダ錠１３による干渉を受けていない状態において、外部から動作信号を与えて電気錠ユニット２６のソレノイドコイルに励磁電流を流し、プランジャーを上向きに吸引作動させると、ロングロックプレート２０のプレート先端部２２とプランジャー先端の錠止爪部２７との係合が解除され、ハンドルレバー５は本体ケース２に対する拘束を解除され、本体ケース２から突出可能となる。
【００２８】
他方、電気錠ユニット２６を施錠状態に置いたまま、第２の鍵２１の回転操作によって第２のシリンダ錠１８を解錠状態に設定すると、ロングロックプレート２０のプレート先端部２２と電気錠ユニット２６の錠止爪部２７との係合は解除されるが、ロングロックプレート２０のプレート基端部２４がガイド溝２３の他端開口から下向きに突出して、クランクロックプレート１５の屈曲先端部１７の背面側に係合するため、第２のシリンダ錠１６は第１のシリンダ錠１３による干渉を受ける。そのため、依然としてハンドルレバー５は本体ケース２に拘束されたままである。
【００２９】
そこで、第１の鍵１６の回転操作によって第１のシリンダ錠１３を解錠状態に設定すると、第１のシリンダ錠１３のクランクロックプレート１５は、屈曲先端部１７がロングロックプレート２０のプレート基端部２４と係合しない位置に移動する。これによって第１のシリンダ錠１３による第２のシリンダ錠１８の干渉が解消されるため、ハンドルレバー５は本体ケース２に対する拘束を解かれ、ハンドルレバー５は本体ケース２から突出可能となる。
ハンドルレバー５を本体ケース２から引出した後、ハンドルレバー５を握ってロック軸３を所定方向に回すことによって、前記錠止部材１０が回動し、固定枠体９に対する扉１の錠止が解除される。
【００３０】
すなわち、本適用例では、第１のシリンダ錠１３と第２のシリンダ錠１８が共に解錠されたときに、ハンドルレバー５が操作可能となるものであり、ダブルロック機能が得られている。
電気錠ユニット２６は、本体ケース２の背面壁部の透孔３６から電気錠ユニット２６の本体部の螺子孔３９に螺合される２本のビス３７によって、本体ケース２に堅固に固着されている。
【００３１】
いずれの実施例においても、本体ケース２は扉１の前面に当てられ、扉１の背面側から本体ケースの螺子孔４０に螺合される上下２本のビス（図示していない）によって扉１に固着される。第１のシリンダ錠１３のロータ１４の先端にはカム突起３０が突設され、クランクロックプレート１５には、カム突起３０が係合するカム従動孔３１が形成されている。ロータ１４が回転させられたとき、カム突起３０の側面がカム従動孔３１の内壁面を押すことによって、クランクロックプレート１５はロータ１４に連動して所要方向に駆動される。
また、第２のシリンダ錠１８のロータ１９の先端にはカム突起３２が突設され、ロングロックプレート２０には、カム突起３２が係合するカム従動孔３３が形成されている。ロータ１９が回転させられたとき、カム突起３２の側面がカム従動孔３３の内壁面を押すことによって、ロングロックプレート２０はロータ１９に連動して所要方向に駆動される。
【図面の簡単な説明】
【００３２】
【図１】本発明の一実施例に係る扉用ロックハンドル装置の正面図であり、シリンダ錠カバーは閉塞位置にある。
【図２】図１の扉用ロックハンドル装置の正面図であり、シリンダ錠カバーは開放位置にある。
【図３】図１の扉用ロックハンドル装置の右側面図である。
【図４】図１の扉用ロックハンドル装置の平面図である。
【図５】図１の扉用ロックハンドル装置の背面図である。
【図６】図１の扉用ロックハンドル装置のダブルロック機能を持たしたときの縦断面図である。
【図７】図１の扉用ロックハンドル装置のマスターロック機能を持たしたときの縦断面図である。
【図８】図１の扉用ロックハンドル装置に電気錠ユニットを組み込んでダブルロック機能を持たしたときの縦断面図である。
【符号の説明】
【００３３】
１  扉
２  本体ケース
３  ロック軸
４  ロック軸の前端部
５  ハンドルレバー
６  ハンドルレバーの基端部
７  枢軸
８  ロック軸の後端部
９  固定枠体
１０  錠止部材
１１  ハンドル受座
１２  ハンドルレバーの自由端
１３  第１のシリンダ錠
１４  第１のシリンダ錠のロータ
１５  クランクロックプレート
１６  第１の鍵
１７  クランクロックプレートの屈曲先端部
１８  第２のシリンダ錠
１９  第２のシリンダ錠のロータ
２０  ロングロックプレート
２１  第２の鍵
２２  ロングロックプレートのプレート先端部
２３  ハンドルレバーのガイド溝
２４  ロングロックプレートのプレート基端部
２５  ハンドル受座の係止爪部
２６  電気錠ユニット
２７  電気錠ユニットの錠止爪部
２８  シリンダ錠カバー
２９  引張りコイルバネ
３０  第１のシリンダ錠のカム突起
３１  第１のシリンダ錠のカム従動孔
３２  第２のシリンダ錠のカム突起
３３  第２のシリンダ錠のカム従動孔
３４  本体ケースの軸受筒部
３５  錠止部材固着用ビス
【図１】
2008014037.tif 000003
【図２】
2008014037.tif 000004
【図３】
2008014037.tif 000005
【図４】
2008014037.tif 000006
【図５】
2008014037.tif 000007
【図６】
2008014037.tif 000008
【図７】
2008014037.tif 000009
【図８】
2008014037.tif 000010